(57)【要約】【課題】道糸を貫通孔に挿通させることを目的とする。【解決手段】本発明の釣り用浮き１は、道糸１０１を挿通する貫通孔１１を有する浮き本体部１０と、前記貫通孔１１の内部に位置し、ケミカル発光体Ｌを着脱可能に保持するリブ構造部２０と、を備え、前記リブ構造部２０は、前記道糸１０１が挿通される隙間Ｇ１〜Ｇ３が形成されていることを特徴とする。【選択図】図３
2020195327.tif 000002
【特許請求の範囲】
【請求項１】
道糸を挿通する貫通孔を有する浮き本体部と、
前記貫通孔の内部に位置し、発光体を着脱可能に保持するリブ構造部と、を備え、
前記リブ構造部は、前記道糸が挿通される隙間が形成されていることを特徴とする釣り用浮き。
【請求項２】
前記リブ構造部は、複数のリブを有し、隣接するリブの間に前記隙間が形成されていることを特徴とする請求項１に記載の釣り用浮き。
【請求項３】
前記リブ構造部は、前記道糸を前記貫通孔に直線状に挿通させたときに、前記道糸が前記発光体と接しない位置で前記発光体を保持できるように設けられていることを特徴とする請求項１または２に記載の釣り用浮き。
【請求項４】
前記貫通孔は、前記リブ構造部が位置する側である上部の開口の内径が下部の開口の内径よりも大きく形成され、
前記浮き本体部は、前記道糸を前記貫通孔に直線状に挿通させたときに、前記道糸が内周面に接しないように前記貫通孔が形成されていることを特徴とする請求項３に記載の釣り用浮き。
【発明の詳細な説明】
【技術分野】
【０００１】
本発明は釣り用浮き、特にケミカル発光体等の発光体を保持できる釣り用浮きに関する。
【背景技術】
【０００２】
夜間、浮きの状態を視認するために、ケミカル発光体等の発光体を保持できる釣り用浮きが知られている。例えば、特許文献１には、浮の上部に、上方向の球面状凹部を設け、縦中心軸線上に、道糸を貫通させ、かつ、上方開口から発光体の端部を嵌入固定させることのできる貫通孔を設け、道糸を貫通孔に通し、発光体の端部を貫通孔の上方の開口から嵌入固定して使用する釣り用浮きが開示されている。
【先行技術文献】
【特許文献】
【０００３】
【特許文献１】実用新案登録第３０１３１０８号公報
【発明の概要】
【発明が解決しようとする課題】
【０００４】
しかしながら、特許文献１に開示された釣り用浮きは、発光体と共に道糸が貫通孔に固定されてしまうために、道糸を貫通孔に挿通させるのが困難であるという問題がある。
本発明は、上述したような問題点に鑑みてなされたものであり、道糸を貫通孔に挿通させることを目的とする。
【課題を解決するための手段】
【０００５】
本発明の釣り用浮きは、道糸を挿通する貫通孔を有する浮き本体部と、前記貫通孔の内部に位置し、発光体を着脱可能に保持するリブ構造部と、を備え、前記リブ構造部は、前記道糸が挿通される隙間が形成されていることを特徴とする。
【発明の効果】
【０００６】
本発明によれば、道糸を貫通孔に挿通させることができる。
【図面の簡単な説明】
【０００７】
【図１】釣り用浮きの一例を示す斜視図である。
【図２】釣り用浮きの一例を示す平面図、拡大図、断面図である。
【図３】道糸を挿通させた状態の釣り用浮きの一例を示す断面図である。
【図４】釣り用仕掛けの一例を示す図である。
【発明を実施するための形態】
【０００８】
以下、本実施形態に係る釣り用浮き１について図面を参照して説明する。
図４は、本実施形態に係る釣り用浮き１を用いた釣り用仕掛け１００の一例を示す図である。
釣り用仕掛け１００は、道糸（釣り糸）１０１に浮き止め糸１０２を結び、道糸１０１を順次シモリ玉１０３、当り浮きとしての釣り用浮き１、クッション（Ｏクッション）１０４、水中浮き１０５およびクッション（Ｔクッション）１０６にそれぞれ挿通させて構成される。
釣り用仕掛け１００は、いわゆる遊動仕掛けであり、釣り用浮き１および水中浮き１０５が道糸１０１に沿って所定範囲で移動可能になっている。また道糸１０１の先端には、いわゆるサルカン１０７を介してハリス１０８が結合する。ハリス１０８の先端には釣り針１０９が設けられると共に、その途中適所にガン玉１１０が付設される。
【０００９】
次に、本実施形態に係る釣り用浮き１について図１〜図３を参照して説明する。
図１は、釣り用浮き１の一例を示す斜視図である。図２（ａ）は釣り用浮き１の一例を示す平面図である。図２（ｂ）は図２（ａ）の一部拡大図である。図２（ｃ）は図２（ａ）のＩ−Ｉ線を矢印方向から見た断面図である。なお、図面には適宜、釣り用浮き１が水面に浮いている状態を基準にして上下を矢印で示している。
【００１０】
本実施形態の釣り用浮き１は、夜間でも魚の喰い付きを確認できるように発光体を保持できるように構成される。発光体には、化学反応を起こすことで光を発する発光体、ＬＥＤ等を用いて電気で光を発する発光体等が含まれる。本実施形態では、化学反応を起こすことで光を発するケミカル発光体Ｌを保持する場合について説明する。ケミカル発光体Ｌは、外装が可撓性あるいは弾性のあるチューブ状の合成樹脂であり、棒状部分を有している。ここでは、全体が棒状であるケミカル発光体Ｌである場合を例にするが、一部が棒状であるケミカル発光体であってもよい。
【００１１】
釣り用浮き１は、浮き本体部１０と、リブ構造部２０とを備えている。
浮き本体部１０は、略卵状であって、平面視において略円状、側面視において長径を上下方向とする略楕円状の形状である。より具体的には、側面視において、浮き本体部１０の下部は直径が下側に向かうに従って緩やかに縮径し、浮き本体部１０の上部は直径が上側に向かうにしたがって緩やかに縮径して途中から急に縮径する形状である。浮き本体部１０は、例えば合成樹脂で構成される。ただし、浮き本体部１０は、合成樹脂である場合に限られず、木材等の材料であってもよい。
【００１２】
また、浮き本体部１０は、道糸を挿通するために上下方向に沿った貫通孔１１を有する。貫通孔１１は、平面視において、中心軸線が浮き本体部１０の中心Ｏと略一致する。図２（ｃ）に示すように、貫通孔１１は上下方向の略中央を境界にして上部が大径の内径であり、下部が小径の内径である。したがって、貫通孔１１の上部の開口１２ａは、下部の開口１２ｂに比べて大径である。なお、貫通孔１１は、上部の内径がケミカル発光体Ｌの直径よりも大きく、下部の内径がケミカル発光体Ｌの直径よりも小さく設定されている。また、貫通孔１１の上下方向の略中央には、大径の内径と小径の内径とを繋ぐ傾斜状のテーパ部１２ｃが形成される。
【００１３】
リブ構造部２０は、貫通孔１１の内部に位置し、ケミカル発光体Ｌの棒状部分を着脱可能に保持する。より具体的には、リブ構造部２０は、貫通孔１１のうち大径である上部の内周面に配置される。リブ構造部２０は、貫通孔１１の上部のうち、テーパ部１２ｃよりも上部の開口１２ａに近接した位置に配置される。ただし、リブ構造部２０は、貫通孔１１の開口１２ａから下側に離れた位置に配置される。リブ構造部２０は、例えば合成樹脂で構成される。ただし、リブ２１ａ〜２１ｃは、合成樹脂である場合に限られず、木材等の材料であってもよい。
また、リブ構造部２０は、貫通孔１１の内周面に対して一体で成形、すなわち浮き本体部１０と一体で成形される。ただし、この場合に限られず、別体で成形して、後工程でリブ構造部２０を浮き本体部１０の貫通孔１１の内部に位置するように接続したり、組み立てたりしてもよい。
【００１４】
具体的に、リブ構造部２０は複数（ここでは３つ）のリブ２１ａ〜２１ｃを有する。本実施形態のリブ２１ａ〜２１ｃは、平面視において貫通孔１１の中心軸線を略中心として略等しい角度（ここでは１２０度）の間隔に位置する。リブ２１ａ〜２１ｃは、それぞれ上下方向に沿った略軸状である。リブ２１ａ〜２１ｃは、平面視において、貫通孔１１の内周面からそれぞれ貫通孔１１の中心軸線に向かって突出する。リブ２１ａ〜２１ｃは、平面視において、貫通孔１１の内周面から中心軸線に向かって突出する略半円状である。ただし、リブ２１ａ〜２１ｃの形状は限定されず、例えば、略三角形状、略矩形状、略台形状であってもよい。
【００１５】
ここで、リブ２１ａ〜２１ｃの各先端は、ケミカル発光体Ｌを保持する保持部として機能する。図２（ｂ）に示すように、リブ２１ａ〜２１ｃの各先端を繋ぎ合わせることで、貫通孔１１の中心軸線を略中心とした二点鎖線で示す円形が形成される。二点鎖線の円形の直径は、ケミカル発光体Ｌの直径と略等しい、あるいはケミカル発光体Ｌの直径よりも僅かに小さくてもよい。なお、二点鎖線で示す円形の直径は、ケミカル発光体Ｌの種類に応じて適宜、変更することができる。
【００１６】
次に、上述したように構成される釣り用浮き１にケミカル発光体Ｌを保持させる場合について説明する。
まず、ユーザは予め貫通孔１１に道糸を挿通させる。次に、ユーザはケミカル発光体Ｌの長手方向と釣り用浮き１の貫通孔１１の軸線方向とを一致させ、ケミカル発光体Ｌを上部の開口１２ａから貫通孔１１を通してリブ構造部２０に挿入する。具体的には、ケミカル発光体Ｌが、リブ構造部２０のリブ２１ａ〜２１ｃの各先端を繋ぎ合わせた図２（ｂ）に示す円形に合わせるようにして挿入する。なお、リブ構造部２０は上部の開口１２ａから下側に離れて位置することから、上部の開口１２ａがリブ構造部２０に挿入するときのガイドとして機能する。なお、リブ２１ａ〜２１ｃの各先端を繋ぎ合わせた円形の直径は、ケミカル発光体Ｌの直径と略等しいことから、ユーザはケミカル発光体Ｌをリブ構造部２０に対して挿入するときに抵抗があり、やや押し込むように挿入する。したがって、ケミカル発光体Ｌの外装は僅かに変形しながら挿入される。
【００１７】
ユーザはリブ構造部２０の抵抗が大きくなりケミカル発光体Ｌが挿入できなくなる位置まで挿入することによってケミカル発光体Ｌがリブ構造部２０によって保持される。
ここで、図２（ｂ）の二点鎖線で示す円形が、リブ構造部２０によって保持されたケミカル発光体Ｌであるとすると、隣接するリブ２１ａ〜２１ｃの間には道糸が挿通される複数の隙間Ｇ１〜Ｇ３が形成される。具体的には、リブ２１ａ、リブ２１ｂ、ケミカル発光体Ｌの外周、貫通孔１１の内周によって隙間Ｇ１が形成される。また、リブ２１ｂ、リブ２１ｃ、ケミカル発光体Ｌの外周、貫通孔１１の内周によって隙間Ｇ２が形成される。また、リブ２１ｃ、リブ２１ａ、ケミカル発光体Ｌの外周、貫通孔１１の内周によって隙間Ｇ３が形成される。道糸は、隙間Ｇ１〜Ｇ３のうち何れか一つの隙間に挿通させることができる。
【００１８】
また、図２（ｂ）に示すように、平面視において、隙間Ｇ１〜Ｇ３のうち何れか一つの隙間の面積は、リブ２１ａ〜２１ｃのうち何れか一つのリブの面積よりも大きい。また、隙間Ｇ１、隙間Ｇ２、隙間Ｇ３のそれぞれの面積を合計した隙間総面積は、リブ２１ａ、リブ２１ｂ、リブ２１ｃのそれぞれの面積を合計したリブ総面積よりも大きい。このように隙間Ｇ１〜Ｇ３の面積が大きいことから、ユーザが予め貫通孔１１に道糸を挿通させた後に、ケミカル発光体Ｌを貫通孔１１に挿入する場合でも、容易に道糸を隙間Ｇ１〜Ｇ３のうち何れか一つの隙間に位置させることができる。なお、予め貫通孔１１に道糸を挿通させる場合に限られず、ケミカル発光体Ｌをリブ構造部２０に保持させた後に、貫通孔１１に道糸を挿通させる場合であっても、容易に道糸を隙間Ｇ１〜Ｇ３のうち何れか一つの隙間に挿通させることができる。
【００１９】
また、平面視において、隙間総面積がリブ総面積よりも大きいことで、ケミカル発光体Ｌの外周面がリブ２１ａ〜２１ｃと接触する面積を少なくすることができる。したがって、ユーザがケミカル発光体Ｌをリブ構造部２０に対して挿入するときにケミカル発光体Ｌの外装が変形する余裕があることから、抵抗がありながらも容易にケミカル発光体Ｌを挿入できると共に、ケミカル発光体Ｌの保持性を向上させることができる。また、ケミカル発光体Ｌが発光しなくなったとき等にケミカル発光体Ｌをリブ構造部２０から離脱させる場合でも容易に離脱させることができる。
【００２０】
このように構成される釣り用浮き１によれば、リブ構造部２０でケミカル発光体Ｌを保持しながらも、リブ構造部２０の隙間Ｇ１〜Ｇ３を通じて道糸を貫通孔１１に挿通させることができる。したがって、釣り用浮き１は道糸に沿って移動可能に構成することができる。
【００２１】
次に、釣り用浮き１の側面視において、リブ構造部２０がケミカル発光体Ｌを保持した状態について図３を参照して説明する。
図３は、リブ構造部２０によって保持された状態の一例を示す断面図である。本実施形態の釣用浮き１は、リブ構造部２０がリブ２１ａ〜２１ｃの下端とケミカル発光体Ｌの下端とが略一致する位置でケミカル発光体Ｌを保持する。すなわち、本実施形態では、ユーザがケミカル発光体Ｌを挿入して、リブ構造部２０の抵抗が大きくなりケミカル発光体Ｌが挿入できなくなる位置が、図３に示す位置である。
【００２２】
ここで、本実施形態の浮き本体部１０およびリブ構造部２０は、図３に示すように、道糸１０１が貫通孔１１内で直線状に挿通できるように構成されている。
すなわち、第１に、リブ構造部２０は、道糸１０１を貫通孔１１で直線状に挿通させたときに、道糸１０１がケミカル発光体Ｌと接させない位置でケミカル発光体Ｌを保持できるように設けられている。具体的に、図３に示す道糸１０１は、貫通孔１１内で斜めかつ直線状に挿通されており、ケミカル発光体Ｌに接していない。リブ構造部２０は、テーパ部１２ｃよりも上部の開口１２ａに近接した位置でケミカル発光体Ｌを保持することから、道糸１０１がケミカル発光体Ｌに接することを防止することができる。
【００２３】
第２に、浮き本体部１０は、道糸１０１を貫通孔１１で直線状に挿通させたときに、道糸１０１が貫通孔１１の内周面と接しないように貫通孔１１が形成されている。具体的に、図３に示す道糸１０１は、貫通孔１１内で斜めかつ直線状に挿通されており、貫通孔１１の内周面に接していない。すなわち、貫通孔１１は、リブ構造部２０が位置する側の上部の開口１２ａの内径が下部の開口１２ｂの内径よりも大きく設定され、貫通孔１１の上下方向の略中央にテーパ部１２ｃが形成されていることから、道糸１０１を貫通孔１１の内周面に接することを防止することができる。なお、テーパ部１２ｃは更に、下部の開口１２ｂに近接した位置に形成することで、道糸１０１を貫通孔１１の内周面に接することをより防止することができる。
【００２４】
このように構成される釣り用浮き１によれば、道糸１０１がケミカル発光体Ｌおよび浮き本体部１０の内周面に接して引っ掛かることなく、貫通孔１１を直線状に挿通させることができる。道糸１０１が貫通孔１１を直線状に挿通することで、釣り用浮き１は道糸１０１に沿って容易に移動可能に構成できる。ここで、釣り用浮き１が水面に浮かんだ状態で水面が揺れている場合を想定する。道糸１０１がケミカル発光体Ｌおよび浮き本体部１０の内周面に接してしまう構成の場合には、釣り用浮き１の上下の浮遊に連動して道糸１０１および釣り針１０９が上下に移動してしまうことから魚が取り込み難くなってしまう。一方、本実施形態のように、道糸１０１がケミカル発光体Ｌおよび浮き本体部１０の内周面に接せずに、釣り用浮き１が道糸１０１に沿って容易に移動可能な構成であれば、道糸１０１および釣り針１０９が釣り用浮き１の上下の浮遊に連動しないことから道糸１０１および釣り針１０９が上下に移動することを防止あるいは抑制でき、魚を取り込みやすいという効果がある。
【００２５】
以上、本発明を上述した実施形態により説明したが、本発明は上述した実施形態にのみ限定されるものではなく、本発明の範囲内で変更等が可能である。
例えば、上述した実施形態では、浮き本体部１０が略卵状である場合について説明したが、この場合に限られず、他の形状であってもよい。
【符号の説明】
【００２６】
１：釣り用浮き  １０：浮き本体部  １１：貫通孔  １２ａ：上部の開口  １２ｂ：下部の開口  １２ｃ：テーパ部  ２０：リブ構造部  ２１ａ〜２１ｃ：リブ  Ｇ１〜Ｇ３：隙間  １０１：道糸  １０９：釣り針
【図１】
2020195327.tif 000003
【図２】
2020195327.tif 000004
【図３】
2020195327.tif 000005
【図４】
2020195327.tif 000006